(57)【要約】      （修正有）【課題】製本モードで印刷されている原稿を複写、出力する際に正しいページ順序で出力可能にする。【解決手段】画像形成装置に、製本モードで印刷されている原稿の原稿を読み取るスキャナ部と、画像データを分割するページ分割機能とそのページを再配列するページ再配列機能を備えた画像処理部と、画像の出力を行う画像出力部とを備えることにより、製本モードの原稿の画像データをページ順序ごとに正しく再配列して、用紙の一面に１ページや集約ページの形で正しい順序で出力することが可能となった。【選択図】図２
2007324739.tif 000002
【特許請求の範囲】
【請求項１】
製本モードの各原稿の両面を順に読み取るスキャナ部と、
読み取った前記原稿の画像データを記憶する記憶部と、
前記読み取った画像データを分割するページ分割機能と前記ページ分割機能によって得られたページを各面間の読み取り順序及び各面内の配列を基に正しい順序に再配列するページ再配列機能の両機能を持つ画像処理部と、
前記正しい順序に再配列されたページを出力する画像出力部とを備えた
ことを特徴とする画像形成装置。
【請求項２】
請求項１の画像形成装置であって、
前記画像処理部の前記ページ分割機能は、前記スキャナ部で読み取った前記製本モードで印刷された各原稿の表面裏面の画像データを二分割して４ページに分割する
ことを特徴とする画像形成装置。
【請求項３】
請求項２の画像形成装置であって、
前記画像処理部の前記ページ再配列機能は、前記ページ分割機能で分割された各原稿の４ページについて、
前記原稿が左綴じ原稿である場合は、表面右側を前面ページ、前記表面右側の裏面を前面に続く次前面ページ、表面左側を後面ページ、前記表面左側の裏面を後面の一つ前の次後面ページとして再配列し、
前記原稿が右綴じ原稿である場合は、表面左側を前面ページ、前記表面左側の裏面を前面に続く次前面ページ、表面右側を後面ページ、前記表面右側の裏面を後面の一つ前の次後面ページとして再配列し、
複数枚の前記原稿を読み取った際に、前原稿の次前面ページに次原稿の前面ページを配列し、前原稿の次後面ページの前に次原稿の後面ページを配列し、
これ以上原稿が無いと判断したときに、最終原稿の次前面ページの次に最終原稿の次後面ページが配列する
ことを特徴とする画像形成装置。
【請求項４】
請求項３の画像形成装置であって、
前記製本モード印刷された原稿が複数の冊子から構成されている場合、
前記画像処理部の前記ページ再配列機能は、
前冊子の後面ページの次に次冊子の前面ページを配列する
ことを特徴とする画像形成装置。
【請求項５】
製本モードの各原稿の両面を順に読み取った画像データを分割するページ分割ステップと前記ページ分割ステップによって得られたページを各面の読み取り順序を基に正しい順序に再配列するページ再配列ステップを持つ
ことを特徴とするプログラム。
【請求項６】
請求項５のプログラムであって、
前記ページ分割ステップは、前記製本モードの各原稿の両面を順に読み取った画像データの各面を二分割して４ページに分割する
ことを特徴とするプログラム。
【請求項７】
請求項６のプログラムであって、
前記ページ再配列ステップは、前記ページ分割ステップで分割された各原稿の４ページについて、
前記原稿が左綴じ原稿である場合は、表面右側を前面ページ、前記表面右側の裏面を前面に続く次前面ページ、表面左側を後面ページ、前記表面左側の裏面を後面の一つ前の次後面ページとして再配列し、
前記原稿が右綴じ原稿である場合は、表面左側を前面ページ、前記表面左側の裏面を前面に続く次前面ページ、表面右側を後面ページ、前記表面右側の裏面を後面の一つ前の次後面ページとして再配列し、
複数枚の前記原稿を読み取った際に、前原稿の次前面ページに次原稿の前面ページを配列し、前原稿の次後面ページの前に次原稿の後面ページを配列し、
これ以上原稿が無いと判断したときに、最終原稿の次前面ページの次に最終原稿の次後面ページが配列する
ことを特徴とするプログラム。
【請求項８】
請求項７のプログラムであって、
前記製本モードの各原稿の両面を順に読み取った画像データが複数の冊子から構成されている原稿の画像データの場合、
前記ページ再配列ステップは、
前冊子の後面ページの次に次冊子の前面ページを配列する
ことを特徴とするプログラム。
【請求項９】
製本モードの各原稿の両面を順に読み取るスキャナ部と、
読み取った前記原稿の画像データを記憶する記憶部と、
前記読み取った画像データを分割するページ分割機能と前記ページ分割機能によって得られたページを各面の読み取り順序を基に正しい順序に再配列するページ再配列機能の両機能を持つ画像処理部と、
前記正しい順序に再配列されたページを出力する画像出力部と、
出力パネルと入力インターフェースを備えた操作パネル部とを備え、
操作パネル部からのユーザの入力により、製本モードの画像出力を行うか、通常モードでの画像出力を行うかの選択が可能である
ことを特徴とする画像形成装置。
【発明の詳細な説明】
【技術分野】
【０００１】
製本モードで印刷された原稿を正しいページ順序に再配列して出力する画像形成装置及びプログラムに関するものである。
【背景技術】
【０００２】
製本モードとは、一枚の用紙の両面に２ページずつページを割り付けて印刷するモードで、このモードによって印刷された原稿を重ねて二つ折りにして冊子にした時に正しい順序でページが並ぶ。図１に左綴じ（一般的には横書き）原稿で１冊子１２ページで３枚の用紙からなる製本モードで印刷された原稿の例を示す。図１（Ａ）は、冊子になっているようす。図１（Ｂ）は、原稿を広げた際のページの配列の様子である。
【０００３】
従来技術として、集約ページに印刷された原稿を集約前のもとの原稿の画像倍率に戻し、一枚ずつページ順に印刷する技術がある（特許文献１参照）。
【０００４】
しかし、この技術を用いて製本モードで印刷された原稿を印刷しようとしてもページ順序が正しく印刷されない。
【０００５】
製本モードで印刷された原稿を１ページ１枚の原稿にして出力したり、また集約ページにして製本モードのように二つ折りの冊子にしない通常の集約モードで出力しようとしても、そのページ順序を正しく配列する技術は無かった。
【０００６】
【特許文献１】特開２０００−３５００００号公報
【発明の開示】
【発明が解決しようとする課題】
【０００７】
製本モードで作成されている原稿を１ページ１枚の形や、通常のページ順序の集約モードで出力しようとすると、ページ順序が正しく出力されない。
【課題を解決するための手段】
【０００８】
本発明の画像形成装置は、製本モードの各原稿の両面を順に読み取るスキャナ部と、読み取った前記原稿の画像データを記憶する記憶部と、前記読み取った画像データを分割するページ分割機能と前記ページ分割機能によって得られたページを各面の読み取り順序を基に正しい順序に再配列するページ再配列機能の両機能を持つ画像処理部と、前記正しい順序に再配列されたページを出力する画像出力部とを備えたことを最も主要な特徴とする。
【０００９】
本発明のプログラムは、製本モードの各原稿の両面を順に読み取った画像データを分割するページ分割ステップと前記ページ分割ステップによって得られたページを各面の読み取り順序を基に正しい順序に再配列するページ再配列ステップを持つことを最も主要な特徴とする。
【発明の効果】
【００１０】
本発明の画像形成装置は、製本モードの各原稿の両面を順に読み取るスキャナ部と、読み取った前記原稿の画像データを記憶する記憶部と、前記読み取った画像データを分割するページ分割機能と前記ページ分割機能によって得られたページを各面の読み取り順序を基に正しい順序に再配列するページ再配列機能の両機能を持つ画像処理部と、前記正しい順序に再配列されたページを出力する画像出力部とを備えたことを最も主要な特徴とするため、製本モードで作成されている原稿を１ページ１枚の形や、通常のページ順序の集約モードで出力するときに正しいページ順序で出力可能である。
【００１１】
本発明のプログラムは、製本モードの各原稿の両面を順に読み取った画像データを分割するページ分割ステップと前記ページ分割ステップによって得られたページを各面の読み取り順序を基に正しい順序に再配列するページ再配列ステップを持つことを最も主要な特徴とするため、製本モードで作成されている原稿を１ページ１枚の形や、通常のページ順序の集約モードで出力するときに正しいページ順序で再配列可能である。
【発明を実施するための最良の形態】
【００１２】
画像形成装置の画像処理部に画像データをページごとに分割するページ分割機能とページを再配列するページ再配列機能を備えることにより課題を解決した。
【実施例１】
【００１３】
［画像形成装置の構成］
本発明の実施例としての画像形成装置の機能ブロック図を図２に示す。
【００１４】
画像形成装置１０１は、スキャナ部１１１、画像処理部１２１、画像出力部１３１、記憶部１４１、データ圧縮部１５１、データ復元部１６１、操作パネル部１７１からなり、画像処理部１２１は、ページ分割機能１２３とページ再配列機能１２５を持つ。
【００１５】
スキャナ部１１１は、原稿を読み取り画像データに変換する。画像処理部１２１は、以下の二つの機能を持つ。ページ分割機能１２３は、製本モードで作成された原稿の表面裏面の各面を二分割して割り付けられている各ページごとに画像データを区切る。ページ再配列機能１２５は、製本モードで並んでいるページを正しい順番に並べるための機能を持つ。
【００１６】
ページ再配列機能１２５は、図３に示すような二つのスタックを用いてページの再配列を行う。前記ページ分割機能１２３で４つのページに分割された画像データは、その画像データの位置により、前面ページ、次前面ページ、後面ページ、次後面ページに分けられる。左綴じ冊子２０１の場合は、それはすなわち一般的には横書き記載のページを冊子にしたものであるが、その一番若いページを表面に持ってきた際に表面右側が前面ページ、その裏面が次前面ページ、表面左側が後面ページ、その裏面が次後面ページとなる。右綴じ冊子の場合は、左右が逆となる。
【００１７】
これらのページを図３に示す先頭ページからのスタック２１１と最終ページからのスタック２１３に分けて下から積み上げて行く。まず先頭ページからのスタック２１１の上に前面ページ、その次に次前面ページを積み上げる。そして次に最終ページからのスタック２１３の上に後面ページ、その次に次後面ページを積み上げる。一枚の原稿が済むと次の原稿について同様にスタックに積み上げ、全ての原稿の画像データを積み上げ終わったら、先頭ページからのスタック２１１の最上段にあるページと最終ページからのスタック２１３の最上段にあるページをつなぐ、これによって先頭ページからのスタック２１１の最深部から最終ページからのスタック２１３の最深部までにつながる正しいページの配列ができる。
【００１８】
画像出力部１３１は、前記正しく配列されたページを出力する。
【００１９】
記憶部１４１は、スキャナ部１１１で取得された画像データや画像処理部で処理された後のデータやデータ圧縮部１５１（後述）で圧縮されたデータを記憶する。
【００２０】
データ圧縮部１５１は、画像処理部でページ分割された画像データを記憶部に記録する前にデータを圧縮する。このため記憶部を効率的に使用でき、画像データの転送にかかる時間を短縮できる。
【００２１】
データ復元部１６１は、前記データ圧縮部１５１で圧縮されたデータを元の形に復元する。
【００２２】
操作パネル部１７１は、出力パネルとタッチパネルなどの入力インターフェースを持ち、画像形成装置１０１のユーザインターフェースを受け持つ。
【００２３】
［動作の流れ］
図４に本実施例の画像形成装置の動作の流れをフローチャートにして示す。
【００２４】
画像形成装置１０１が動作を開始すると、Ｓ５００で製本モードの出力であるかどうかを操作パネル部１７１での入力により選択する。
【００２５】
製本モードで無い場合は、動作をＳ５０２に移行し通常の出力を行い動作を終了する。
【００２６】
製本モードの場合は、動作をＳ５０１に移行する。
【００２７】
Ｓ５０１で製本モードを出力するときに以下の必要な設定を入力する。
【００２８】
原稿が右綴じであるか、左綴じであるかを指定する。
【００２９】
出力するのは用紙の１面に１ページで出力するか、集約ページで出力するか、集約ページの場合は１ページに何枚出力するのかを指定する。
【００３０】
出力は用紙の片面出力か両面出力かなどの条件を指定する。
【００３１】
Ｓ５０３は、Ｓ５２５と対をなしループを構成し、冊子ごとにループを繰り返す。製本モードにおいては、用紙を二つ折りにして綴じるため、ページ数が多くなると複数の冊子に分けて出力を行う。その場合は、第１冊目の冊子の最終ページの次ページが第２冊目の冊子の最初のページになっている。
【００３２】
Ｓ５０５で、ひとつの冊子に対してページ再配列機能１２５が用いる配列用の２つのスタック（図３の２１１、２１３）を用意する。
【００３３】
Ｓ５０７で冊子が２冊目以降である場合には前のスタックがあるのでそれを判断する。
【００３４】
Ｓ５０７での判断がＹＥＳであれば動作をＳ５０９に移行し、直前のＳ５０５で作成された再配列用のスタックの前面ページを一回前のループ（Ｓ５０３−Ｓ５２５）中に実行されたＳ５０５で作成されたスタックの後面のページの次に繋ぐ。
【００３５】
Ｓ５０７での判断がＮＯであれば第一冊目の冊子であり、繋ぐスタックがないのでＳ５１１に進む。
【００３６】
Ｓ５１１は、Ｓ５２１と対を成してループを構成しており、スキャナ部で読み取られる原稿用紙一枚ごとのループを繰り返す。
【００３７】
Ｓ５１３で、スキャナ部１１１にて原稿を一枚読み取り、記憶部１４１に記録する。
【００３８】
Ｓ５１５で、画像処理部１２１のページ分割機能１２３を用いて、スキャナ部で読み取られた画像データを表面裏面を各二分割した４ページの画像データに分割する。
【００３９】
Ｓ５１７で、前記分割された画像データをデータ圧縮部１５１にて圧縮し、記憶部１４１に記録する。
【００４０】
Ｓ５１９で、画像処理部１２１のページ再配列機能１２５により画像データを２つのスタックに再配列する。再配列の方法は、前記スタックの説明で述べたとおりである。
【００４１】
Ｓ５２１で、次の原稿があればＳ５１１に戻り、無ければループ（Ｓ５１１−Ｓ５２１）を終了する。
【００４２】
Ｓ５２３で、先頭ページからのスタック２１１の最上段と最終ページからのスタック２１３の最上段を繋ぐ。これにより一つの冊子のページが正しく再配列された。
【００４３】
Ｓ５２５で、次の冊子があればＳ５０３に戻り、無ければループ（Ｓ５０３−Ｓ５２５）を終了する。
【００４４】
Ｓ５２７で、Ｓ５０１で設定した出力条件に合わせて、最終的には一つに繋がったスタック（２１１、２１３）の順序で記憶部１４１に記憶されている圧縮された画像データをデータ復元部１６１により復元して、画像出力部１３１により出力する。
【００４５】
以上で動作を終了する。
【００４６】
上記のフローチャートでは、Ｓ５２７で最終的にすべての再配列を終えてから画像の用紙への印刷を行ったが、Ｓ５１９とＳ５２１の間で、先頭ページからのスタック２１１または最終ページからのスタック２１３のどちらかのスタックについて用紙への印刷を行い、未印刷のスタックについては、Ｓ５２７で用紙への印刷を行う方法をとっても良い。
【００４７】
上記のフローチャートでは、Ｓ５００で製本モードであるかどうかをユーザからの入力で選択したが、Ｓ５００とＳ５０２のステップを除いて、製本モードの専用機としても良い。
【００４８】
［実施例の効果］
本実施例の画像形成装置により、製本モードで出力されている原稿を正しいページ順序で、用紙一面に１ページの形で出力したり、通常の集約ページの形で出力したりすることが可能となった。
【００４９】
また、冊子が組み合わされて製本されている原稿でも正しい順序で出力されることが可能となったので、製本されている冊子を分解して自動読み取り装置にかけて出力を行って、終了後に冊子を製本しなおすことにより、ブック原稿を一ページずつ開きながら複写する手間や、ブック原稿をスキャナ部で読み取る際に発生する綴じ部での画像の歪みなどの無いきれいな出力を作成することができる。
【００５０】
［その他］
画像の出力に関しては、プリンタや複写機による画像の印刷でも良いし、ＦＡＸ装置における画像の送信でも良い。
【図面の簡単な説明】
【００５１】
【図１】製本モードで出力された冊子の図。
【図２】画像形成装置の機能ブロック図（実施例１）。
【図３】ページ再配列機能に用いられる二つのスタックの説明（実施例１）。
【図４】画像形成装置の動作のフローチャート（実施例１）。
【符号の説明】
【００５２】
１０１  画像形成装置
１１１  スキャナ部
１２１  画像処理部
１２３  ページ分割機能
１２５  ページ再配列機能
１３１  画像出力部
１４１  記憶部
１７１  操作パネル部
【図１】
2007324739.tif 000003
【図２】
2007324739.tif 000004
【図３】
2007324739.tif 000005
【図４】
2007324739.tif 000006